(57)【要約】      （修正有）【課題】記録容量を増大させ得、さらに主データ及び副データの双方が記録された光情報記録媒体、副データを記録することができる記録装置、主データの偽造を抑制し得る偽造防止システム、暗号情報を記録し得る承認端末等を提供する。【解決手段】２光子吸収反応が生じるフォトクロミック材料等の記録材料を用い、記録光ビームＬ１ａに応じて吸収変化領域ＲＡを形成し、記録光ビームＬ１ｂに応じて屈折率変調領域ＲＢを形成するという光情報記録媒体の特性を利用し、吸収変化領域ＲＡと屈折率変調領域ＲＢとを記録マークＲＭとして組み合わせることにより、主データと副データとの双方を記録マークＲＭとして、光情報記録媒体に記録する。さらに副データとして暗号情報を生成する暗号生成部を有する。【選択図】図６
2010113786.tif 000002
【特許請求の範囲】
【請求項１】
周囲から光吸収率の変化した吸収変化領域及び当該吸収変化領域から屈折率の変調された屈折率変調領域として主データが記録され、上記屈折率変調領域として上記主データとは異なる副データが記録された記録層
を有する光情報記録媒体。
【請求項２】
上記吸収変化領域は、
情報記録光の照射によって２光子吸収反応が生じて形成されている
請求項１に記載の光情報記録媒体。
【請求項３】
上記屈折率変調領域は、
上記吸収変化領域に対して重畳記録光が照射されることによって熱反応が生じたことにより形成されている
請求項２に記載の光情報記録媒体。
【請求項４】
上記記録層は、
上記情報記録光の照射に応じた２光子吸収反応により光吸収特性を変化させ、上記重畳記録光の照射に応じて熱反応を生じさせる光吸収変化材料を含有する
請求項３に記載の光情報記録媒体。
【請求項５】
上記光吸収変化材料は、
光の照射に応じて可逆的に化学構造を変化させることにより、光吸収特性を変化させるフォトクロミック材料である
請求４に記載の光情報記録媒体。
【請求項６】
上記副データは、
暗号情報である
請求項１に記載の光情報記録媒体。
【請求項７】
重畳記録光を出射する光源と、
上記吸収変化領域に対し上記重畳記録光を照射する光照射部と、
光情報記録媒体に記録され、周囲から光吸収率の変化した吸収変化領域を検出する検出部と、
上記吸収変化領域が表す主データとは異なる副データと上記検出部による検出結果に応じて、上記吸収変化領域の一部に対して上記重畳記録光を出射するよう上記光源を制御する光源制御部と
を有する記録装置。
【請求項８】
上記副データとして暗号情報を生成する暗号生成部
を有する請求項７に記載の記録装置。
【請求項９】
重畳記録光を出射する出射ステップと、
光情報記録媒体に記録され、上記重畳記録光に対する光吸収率が周囲から変化した吸収変化領域を検出する検出ステップと、
上記吸収変化領域が表す主データとは異なる副データと上記検出部による検出結果に応じて、上記吸収変化領域の一部に対して上記重畳記録光を出射するよう、当該吸収変化領域に対し上記重畳記録光を照射する光照射ステップと
を有する記録方法。
【請求項１０】
読出光を出射する光源と、
周囲から光吸収率が変化した吸収変化領域及び当該吸収変化領域から屈折率が変調された屈折率変調領域が形成された光情報記録媒体に対して上記読出光を照射する光照射部と、
上記吸収変化領域及び屈折率変調領域によって上記読出光が変調されてなる変調光を受光する受光部と、
上記変調光に基づいて上記吸収変化領域及び上記屈折率変調領域の双方によって表される主データを再生する再生部と
を有する再生装置。
【請求項１１】
上記屈折率変調領域が表す副データを取得する副データ取得部と、
上記取得した副データから上記吸収変化領域及び上記屈折率変調領域のいずれが記録されているかを予測する予測部と
を有し、
上記再生部は、
上記検出信号から上記変調光の和光量を表す再生信号を生成し、上記予測部の予測結果に応じて上記吸収変化領域の有無を判断する第１の再生閾値と、上記屈折率変調領域の有無を判断する第２の再生閾値とを切り替え、主データを表す２値化信号を生成する
請求項１０に記載の再生装置。
【請求項１２】
読出光を出射する出射ステップと、
周囲から光吸収率が変化した吸収変化領域及び当該吸収変化領域から屈折率が変調された屈折率変調領域が形成された光情報記録媒体に対して上記読出光を照射する光照射ステップと、
上記吸収変化領域及び屈折率変調領域によって上記読出光が変調されてなる変調光を受光する受光ステップと、
上記変調光に基づいて上記吸収変化領域及び上記屈折率変調領域の双方によって表される主データを再生する再生ステップと
を有する再生方法。
【請求項１３】
暗号情報を生成する暗号情報生成部と、
光情報記録媒体において記録情報を表し周囲から光吸収率の変化した吸収変化領域上に記録光を照射し、上記吸収変化領域から屈折率が変調されてなる屈折率変調領域を形成することにより、当該吸収変化領域上に暗号情報を重畳する暗号情報重畳部と、
上記暗号情報に対応する鍵情報を生成する鍵情報生成部と
を具える承認端末と、
上記鍵情報を取得する鍵情報取得部と、
上記暗号情報の重畳された光情報記録媒体において記録されている上記暗号情報が上記鍵情報と対応する場合には上記記録情報を再生する一方、上記暗号情報が上記鍵情報と対応しない場合には上記記録情報を再生しない再生部と
を具える情報再生端末と
を有する偽造防止システム。
【請求項１４】
暗号情報を生成する暗号情報生成部と、
光情報記録媒体において記録情報を表し周囲から光吸収率の変化した吸収変化領域上に記録光を照射し、上記吸収変化領域から屈折率が変調されてなる屈折率変調領域を形成することにより、当該吸収変化領域上に暗号情報を重畳する暗号情報重畳部と、
上記暗号情報に対応する鍵情報を生成する鍵情報生成部と
を有する承認端末。
【請求項１５】
光情報記録媒体において記録情報として記録され周囲から光吸収率の変化した吸収変化領域上に記録光が照射され、上記吸収変化領域から屈折率が変調されてなる屈折率変調領域が形成されることにより重畳された暗号情報に対応する鍵情報を取得する鍵情報取得部と、
上記暗号情報の重畳された光情報記録媒体において記録されている上記暗号情報が上記鍵情報と対応する場合には上記記録情報を再生する一方、上記暗号情報が上記鍵情報と対応しない場合には上記記録情報を再生しない再生部と
を有する情報再生端末。
【発明の詳細な説明】
【技術分野】
【０００１】
本発明は光情報記録媒体、記録装置及び記録方法、再生装置及び再生方法、並びに偽造防止システム、承認端末及び情報再生端末に関し、例えば光ビームの照射により情報を記録光情報記録媒体に適用して好適なものである。
【背景技術】
【０００２】
従来、光情報記録媒体としては、円盤状の光ディスクを光情報記録媒体が広く普及しており、光ディスクとして、一般にＣＤ（Compact  Disc）、ＤＶＤ（Digital  Versatile  Disc）及びＢｌｕ−ｒａｙ  Ｄｉｓｃ（登録商標、以下ＢＤと呼ぶ）等が用いられている。
【０００３】
一般的に、これら従来型の光ディスクでは、凹凸を形成したりや反射率を変化させることにより、光ビームを反射させる信号記録面に記録マークとして記録情報としての主データを記録するようになされている。これらの光ディスク装置の中には、記録マークが形成される記録トラック上に反射率の異なる符号マークを重畳して形成することにより、暗号情報としての副データを記録するようになされたものが提案されている（例えば特許文献１参照）。
【０００４】
ところで光ディスクを記録又は再生する光ディスク装置では、音楽コンテンツや映像コンテンツ等の各種コンテンツ、或いはコンピュータ用の各種データ等のような種々の情報を光ディスクに記録するようになされている。特に近年では、映像の高精細化や音楽の高音質化等により情報量が増大し、また１枚の光ディスクに記録するコンテンツ数の増加が要求されているため、当該光ディスクのさらなる大容量化が求められている。
【０００５】
そこで、光情報記録媒体を大容量化する手法の一つとして、２光子吸収によって記録マークを形成する材料を用い、ピークパワーの高いレーザ光源を用いて、光情報記録媒体の厚さ方向に、３次元的に情報を記録するようになされた光情報記録媒体が提案されている（例えば、特許文献２参照）。
【特許文献１】特許第３５４４１０号公報
【特許文献２】特開２００５−３７６５８公報
【発明の開示】
【発明が解決しようとする課題】
【０００６】
ところで、特許文献２に記載の光ディスク装置では、主データのみを記録又は再生する方法について提案されているものの、従来型の光ディスク装置のように副データを記録する方法や主データ及び副データの双方が記録された光情報記録媒体から主データを再生する方法については提案されていない。
【０００７】
本発明は以上の点を考慮してなされたもので、主データ及び副データの双方が記録された光情報記録媒体、副データを記録することができる記録装置及び記録方法、主データ及び副データの双方が記録された光情報記録媒体から主データを再生することができる再生装置及び再生方法、並びに上記光情報記録媒体における主データの偽造を抑制し得る偽造防止システム、暗号情報を記録し得る承認端末及び記録情報及び暗号情報の双方が記録された光情報記録媒体から記録情報を再生し得る情報再生端末を提案しようとするものである。
【課題を解決するための手段】
【０００８】
かかる課題を解決するため本発明の光情報記録媒体においては、周囲から光吸収率の変化した吸収変化領域及び当該吸収変化領域から屈折率の変調された屈折率変調領域として主データが記録され、屈折率変調領域として主データとは異なる副データが記録された記録層を設けるようにした。
【０００９】
これにより、光情報記録媒体では、主データに対して副データを重畳して記録することができる。
【００１０】
また本発明の記録装置及び記録方法においては、重畳記録光を出射し、光情報記録媒体に記録され、重畳記録光に対する光吸収率が周囲から変化した吸収変化領域を検出し、吸収変化領域が表す主データとは異なる副データと検出部による検出結果に応じて、吸収変化領域の一部に対して重畳記録光を出射するよう、当該吸収変化領域に対し重畳記録光を照射するようにした。
【００１１】
これにより、記録装置及び記録方法では、主データに対して副データを重畳して記録することができる。
【００１２】
さらに本発明の再生装置及び再生方法においては、読出光を出射する光源と、周囲から光吸収率が変化した吸収変化領域及び当該吸収変化領域から屈折率が変調された屈折率変調領域が形成された光情報記録媒体に対して読出光を照射する光照射部と、吸収変化領域及び屈折率変調領域によって読出光が変調されてなる変調光を受光する受光部と、変調光に基づいて吸収変化領域及び屈折率変調領域の双方によって表される主データを再生する再生部とを設けるようにした。
【００１３】
これにより再生装置及び再生方法においては、主データに対して副データが重畳して記録された光情報記録媒体から主データを再生することができる。
【００１４】
さらに本発明の偽造防止システムでは、暗号情報を生成する暗号情報生成部と、光情報記録媒体において記録情報を表し周囲から光吸収率の変化した吸収変化領域上に記録光を照射し、吸収変化領域から屈折率が変調されてなる屈折率変調領域を形成することにより、当該吸収変化領域上に暗号情報を重畳する暗号情報重畳部と、暗号情報に対応する鍵情報を生成する鍵情報生成部とを具える承認端末と、鍵情報を取得する鍵情報取得部と、暗号情報の重畳された光情報記録媒体において記録されている暗号情報が鍵情報と対応する場合には記録情報を再生する一方、暗号情報が鍵情報と対応しない場合には記録情報を再生しない再生部とを具える情報再生端末とを設けるようにした。
【００１５】
これにより偽造防止システムでは、暗号情報と鍵情報とが一致する場合のみ記録情報を再生させることができ、光情報記録媒体の偽造の困難性を向上させて当該光情報記録媒体の偽造を抑制することができる。
【００１６】
さらに本発明の承認端末では、暗号情報を生成する暗号情報生成部と、光情報記録媒体において記録情報を表し周囲から光吸収率の変化した吸収変化領域上に記録光を照射し、吸収変化領域から屈折率が変調されてなる屈折率変調領域を形成することにより、当該吸収変化領域上に暗号情報を重畳する暗号情報重畳部と、暗号情報に対応する鍵情報を生成する鍵情報生成部とを設けるようにした。
【００１７】
これにより承認端末では、記録情報に対して暗号情報を重畳して記録することができる。
【００１８】
さらに本発明の情報再生端末では、光情報記録媒体において記録情報として記録され周囲から光吸収率の変化した吸収変化領域上に記録光が照射され、吸収変化領域から屈折率が変調されてなる屈折率変調領域が形成されることにより重畳された暗号情報に対応する鍵情報を取得する鍵情報取得部と、暗号情報の重畳された光情報記録媒体において記録されている暗号情報が鍵情報と対応する場合には記録情報を再生する一方、暗号情報が鍵情報と対応しない場合には記録情報を再生しない再生部とを設けるようにした。
【００１９】
これにより情報再生端末では、記録情報に対して暗号情報が重畳して記録された光情報記録媒体から記録情報を再生することができる。
【発明の効果】
【００２０】
本発明によれば、主データに対して副データを重畳して記録することができ、かくして主データ及び副データの双方が記録された光情報記録媒体、副データを記録することができる記録装置及び記録方法を実現し得る。
【００２１】
また本発明によれば、主データに対して副データが重畳して記録された光情報記録媒体から主データを再生することができ、かくして主データ及び副データの双方が記録された光情報記録媒体から主データを再生することができる再生装置及び再生方法を実現し得る。
【００２２】
さらに本発明によれば、暗号情報と鍵情報とが一致する場合のみ記録情報を再生させることができ、光情報記録媒体の偽造の困難性を向上させて当該光情報記録媒体の偽造を抑制することができ、かくして光情報記録媒体における記録情報の偽造を抑制し得る偽造防止システムを実現し得る。
【００２３】
また本発明によれば、記録情報に対して暗号情報を重畳して記録することができ、かくして暗号情報を記録し得る承認端末を実現し得る。
【００２４】
さらに本発明によれば、記録情報に対して暗号情報が重畳して記録された光情報記録媒体から記録情報を再生することができ、かくして記録情報及び暗号情報の双方が記録された光情報記録媒体から記録情報を再生し得る情報再生端末を実現し得る。
【発明を実施するための最良の形態】
【００２５】
以下、図面について、本発明の一実施の形態を詳述する。
【００２６】
（１）原理
一般的に対物レンズの開口数をＮＡ、光ビームの波長をλとすると、光ビームが集光されるときのスポット径ｄは、以下の式によって表される。
【００２７】
【数１】
2010113786.tif 000003
【００２８】
すなわち同一の対物レンズを用いる場合、開口数ＮＡが一定となるためスポット径ｄは光ビームの波長λに比例することになる。
【００２９】
図１に示すように、集光された光ビームの強度は焦点Ｆｂ付近で最も大きくなり、焦点Ｆｂから離隔するほど小さくなる。例えば１光子吸収によって例えば屈折率が変調されてなる記録マークＲＭを形成する一般的な光情報記録媒体の場合には、１光子を吸収することにより光反応が生じるため、光強度に比例して光反応が生じる。このため光情報記録媒体では、記録光ビームＬ１における所定の強度以上となる領域に記録マークＲＭが形成される。なお図１ではスポット径ｄと同一サイズの記録マークＲＭが形成された場合を示している。
【００３０】
これに対して２光子吸収の場合、同時に２光子を吸収したときにのみ反応が生じるため、光強度の２乗に比例して２光子吸収反応が生じる。このため本実施の形態による光情報記録媒体１００では、図２に示すように、記録光ビームＬ１において光強度の非常に大きい焦点Ｆｂ近傍にのみ記録マークＲＭとしての屈折率変調領域ＲＢが形成される。
【００３１】
この屈折率変調領域ＲＢは、記録光ビームＬ１のスポット径ｄと比して小さいサイズとなり、その直径ｄａも小さくなる。このため光情報記録媒体１００では、高密度で記録マークＲＭを形成させることにより記録容量の大容量化が可能となる。
【００３２】
ところで２光子吸収材料の中には、２光子吸収反応によって化学変化を引き起こし、その光吸収特性を変化させる化合物（以下、これを光特性変化材料と呼ぶ）が知られている（例えば、非特許文献１参照）。
【非特許文献１】A. Toriumi and S. Kawata, Opt.Lett /Vol. 23, No.24, 1998, 1924-1926
【００３３】
この光特性変化材料では、例えば図３（Ａ）の発光波形ＷＬに示すように、本来吸収しない波長の記録光ビームＬ１が大きな光強度で一定の照射時間に亘って照射されると、図３（Ｂ）に示すように、２光子吸収反応によって当該光特性変化材料の光吸収が変化し、記録光ビームＬ１によるスポットＰよりも小さな吸収変化領域ＲＡを形成する。この吸収変化領域ＲＡでは、光特性変化材料の光吸収の変化により、当該記録光ビームＬ１を吸収して発熱を生じることになる。なお発光波形ＷＬにおける矢印は、記録光ビームＬ１の照射の様子を示す上図の時点を表している。
【００３４】
すなわち２光子特性変化材料は、図３（Ｃ）に示すように、そのまま記録光ビームＬ１が照射され続けることにより、記録光ビームＬ１を吸収して熱を発生し、熱反応による屈折率変調や空洞の形成により記録マークＲＭとしての屈折率変調領域ＲＢを形成することができる。
【００３５】
本発明では、図４（Ｂ）の発光波形ＷＬに示すように、非常に大きな光強度でなる記録光ビームＬ１ａを短時間に亘って照射することにより、２光子吸収反応によって吸収変化領域ＲＡ（図４（Ａ））を形成する。
【００３６】
この吸収変化領域ＲＡでは、情報再生用の読出光ビームＬ２が照射されると、図４（Ｃ）に示すように、当該読出光ビームＬ２を吸収し、光情報記録媒体を通過した当該読出光ビームＬ２（以下、これを透過光ビームＬ３と呼ぶ）の光量を減少させることになる。
【００３７】
そこで光再生装置は、光情報記録媒体に対して読出光ビームＬ２を照射すると共に、透過光ビームＬ３の光量変化に応じた再生信号ＳＲＦを生成し、当該再生信号ＳＲＦから吸収変化領域ＲＡの有無を検出することにより、情報の再生を行うことができる。言い換えると光情報記録媒体は、記録マークＲＭとして吸収変化領域ＲＡを形成することにより、情報を記録することが可能となる。
【００３８】
また図５に示すように吸収変化領域ＲＡでは、図５（Ｂ）の発光波形ＷＬに示すように、比較的大きな光強度でなる記録光ビームＬ１ｂが所定の照射時間に亘って照射されることにより、熱反応によって屈折率変調領域ＲＢ（図５（Ａ））に変化する。従って屈折率変調領域ＲＢでは、情報再生用の読出光ビームＬ２が照射されると、周囲との屈折率の差異によって当該読出光ビームＬ２を反射し、透過光ビームＬ３の光量を減少させることになる。
【００３９】
そこで光再生装置では、光情報記録媒体に対して読出光ビームＬ２を照射すると共に、透過光ビームＬ３の光量変化に応じた再生信号ＳＲＦを生成し、当該再生信号ＳＲＦから屈折率変調領域ＲＢの有無を検出することにより、情報の再生を行うことができる。言い換えると光情報記録媒体は、記録マークＲＭとして屈折率変調領域ＲＢを形成することにより、情報を記録することが可能となる。
【００４０】
すなわち本発明では、例えば図６（Ａ）及び（Ｂ）に示すように、予め主データを吸収変化領域ＲＡとして光情報記録媒体に記録しておく。そして本発明では、図６（Ｃ）に示すように、この吸収変化領域ＲＡの一部に屈折率変調領域ＲＢを形成することにより、主データに重畳して副データを記録し得るようになされている。
【００４１】
（２）偽造防止システムの構成
図７に示すように、本実施の形態による偽造防止システムは、例えば社内文書の保存などに使用されることが想定されている。すなわち偽造防止システムは、情報記録端末２により、主データとして光情報記録媒体１００に記録すべき文書などの記録情報ＲＩを記録する。これは文書作成者などが文書を光情報記録媒体１００に記録することに該当する。
【００４２】
そして偽造防止システムでは、承認端末３により、副データとして当該記録情報ＲＩを承認したことを表す暗号情報ＣＩを記録する。これは部長や役員などの文書承認者が文書を承認することに該当する。
【００４３】
具体的に偽造防止システムでは、まず情報記録端末２によって光情報記録媒体１００に記録情報ＲＩを記録する。このとき情報記録端末２は、２光子吸収反応によって吸収変化領域ＲＡを形成することにより、記録情報ＲＩを光情報記録媒体１００に記録する。なお光情報記録媒体１００には、固有の識別番号が付加され当該識別番号が光情報記録媒体１００に記録される。
【００４４】
次いで偽造防止システムでは、承認端末３によって光情報記録媒体１００に暗号情報ＣＩを記録する。これにより記録情報ＲＩの記録された光情報記録媒体１００は、正式な記録情報ＲＩが記録されたものと承認されることになる。
【００４５】
このとき承認端末３は、熱反応によって吸収変化領域ＲＡの一部を屈折率変調領域ＲＢに変化させることにより、暗号情報ＣＩを光情報記録媒体１００に記録する。さらに承認端末３は、暗号情報ＣＩに対応する鍵情報ＫＩを生成する。この鍵情報ＫＩは、光情報記録媒体１００の識別番号と対応付けられた状態で、当該光情報記録媒体１００とは別々に保存される。
【００４６】
この暗号情報ＣＩは、例えば承認端末３が暗号情報ＣＩを記録するときの日時や当該承認端末３の識別番号ＩＤなどに基づいて生成され、同一パターンのものが生成され得ないようになされている。すなわち同一の記録情報ＲＩが記録された光情報記録媒体１００であっても、異なる承認端末３ａ及び３ｂによってそれぞれ承認された場合には、異なる暗号情報ＣＩが記録されることになる。
【００４７】
そして図８に示すように、偽造防止システムでは、情報再生端末４により、光情報記録媒体１００及び当該光情報記録媒体１００に対応付けられた鍵情報ＫＩを用いて記録された記録情報ＲＩを再生する。
【００４８】
このとき情報再生端末４は、光情報記録媒体１００に記録された暗号情報ＣＩと鍵情報ＫＩとが対応するものである場合、記録情報ＲＩを再生することができる。これに対して情報再生端末４は、光情報記録媒体１００に記録された暗号情報ＣＩと鍵情報ＫＩとが対応しないものである場合、記録情報ＲＩを再生することができないようになされている。
【００４９】
すなわち偽造防止システムでは、鍵情報ＫＩと暗号情報ＣＩとが対応するか否かによって当該光情報記録媒体１００が承認済みの正当なものであるか否かを判別し得るようになされている。
【００５０】
これにより偽造防止システムでは、例えば光情報記録媒体１００が偽造され、承認済みの光情報記録媒体１００とすり替えられた場合に、当該偽造された光情報記録媒体１００が承認されていないものであることを検出することができる。この結果偽造防止システムでは、光情報記録媒体１００の偽造の困難性を向上させることができるため、当該光情報記録媒体１００の偽造を抑制し得るようになされている。
【００５１】
（３）光情報記録媒体の構成
図９（Ａ）及び（Ｂ）に示すように、光情報記録媒体１００は、全体として円板状でなり、中心部分にチャッキング用の孔部１００Ｈが設けられている。光情報記録媒体１００は、基板１０２及び１０３の間に記録層１０１を形成することにより、全体として情報を記録するメディアとして機能するようになされている。
【００５２】
基板１０２及び１０３はガラスやポリカーボネイトなどの光学材料でなり、光を高い割合で透過させるようになされている。基板１０２及び１０３の厚さｔ２及びｔ３は、０．０５［ｍｍ］〜１．２［ｍｍ］の範囲から適宜選択することができる。この厚さｔ２及びｔ３は、同一の厚さであっても異なっていても良い。
【００５３】
記録層１０１は主成分となるバインダー樹脂に対し、記録光ビームＬ１ａの２光子吸収による化学構造の変化によりその光吸収特性を変化させ、この結果記録光ビームＬ１ｂを吸収して発熱する特性を有する光特性変化材料が分散されてなる。
【００５４】
具体的に光特性変化材料としては、一般的な２光子吸収材料や光に応じて化学構造を変化させるフォトクロミック材料などを用いることができる。具体的に２光子吸収材料としては、シアニン色素、メロシアニン色素、アリーリデン色素、オキソノール色素、スクアリウム色素、アゾ色素、及びフタロシアニン色素など種々の有機色素又は各種無機結晶などを用いることができる。
【００５５】
またフォトクロミック材料としては、アゾベンゼン類、スピロピラン類、スピロオキサジン類又はジアリールエテン類などが好適に用いられ、例えば非特許文献２に記載の1,2-bis(2-methylbenzo[b]thiophen-3-yl)perfluorocyclopenteneなどが特に好適に用いられる。
2010113786.tif 000004
【００５６】
バインダー樹脂としては、光ビームに対する透過率の高い各種樹脂材料を用いることができる。例えば熱によって軟化する熱可塑性樹脂や、光による架橋又は重合反応によって硬化する光硬化型樹脂、熱による架橋または重合反応によって硬化する熱硬化型樹脂などを用いることができる。
【００５７】
なお樹脂材料としては特に限定されないが、耐候性や光透過率などの観点から、ＰＭＭＡ（Polymethylmethacrylate）樹脂や、ポリカーボネイト樹脂などが用いられることが好ましい。またバインダー樹脂に対して各種添加剤が添加されても良い。
【００５８】
記録層１０１は、光特性変化材料の発熱に応じて屈折率変調を生じるようになされている。この屈折率変調は、例えば化学変化による局所的な屈折率の変化や、含有する気化材料が気化することによる空洞の形成などが挙げられる。記録層１０１は、光特性変化材料が熱反応によってさらに化学変化することにより屈折率変調を生じさせても良く、バインダー樹脂又は当該バインダー樹脂に添加された添加剤が化学変化することにより屈折率変調を生じさせても良い。
【００５９】
例えばバインダー樹脂として熱可塑性樹脂を用いる場合、加熱した熱可塑性樹脂に光特性変化材料を添加し、混練機で混練することによりバインダー樹脂に光特性変化材料を分散させる。
【００６０】
そして光特性変化材料が分散されたバインダー樹脂を基板１０３上に展開し、冷却させることにより記録層１０１を作製した後、例えばＵＶ接着剤を用いて基板１０２を記録層１０１に接着することにより光情報記録媒体１００を作製することができる。
【００６１】
また熱可塑性樹脂を有機溶剤などで希釈する場合（以下、この熱可塑性樹脂を溶剤希釈型樹脂と呼び、加熱により成型する熱可塑性樹脂と区別する）には、予め光特性変化材料を有機溶剤に溶解又は分散してから当該有機溶剤に溶剤希釈型樹脂を溶解させたり、有機溶剤で希釈した溶剤希釈型樹脂に光特性変化材料を添加して攪拌することによりバインダー樹脂に光特性変化材料を分散させる。
【００６２】
そして光特性変化材料が分散されたバインダー樹脂を基板１０３上に展開し、加熱乾燥させることにより記録層１０１を作製した後、例えばＵＶ接着剤を用いて基板１０２を記録層１０１に接着することにより光情報記録媒体１００を作製することができる。
【００６３】
さらにバインダー樹脂として熱硬化性樹脂や光硬化性樹脂を用いる場合、未硬化の樹脂材料に光特性変化材料を添加して攪拌することによりバインダー樹脂に光特性変化材料を分散させる。
【００６４】
そして光特性変化材料が分散されたバインダー樹脂を基板１０３上に展開し、未硬化の記録層１０１に対して基板１０３が載置された状態で光硬化又は熱硬化させることにより光情報記録媒体１００を作製することができる。
【００６５】
光情報記録媒体１００では、上述したように記録マークＲＭとして、２光子吸収反応による吸収変化領域ＲＡと当該吸収変化領域ＲＡにおける熱反応による屈折率変化領域ＲＢの双方を形成するようになされている。
【００６６】
記録層１０１は、光強度の非常に大きい記録光ビームＬ１（すなわち記録光ビームＬ１ａ）が当該記録層１０１内に照射されると、２光子吸収反応により光特性変化材料の化学構造を変化させ、当該記録光ビームＬ１と同一波長でなる光を吸収するを吸収する吸収変化領域ＲＡを形成する。記録層１０１は、当該吸収変化領域ＲＡに対してさらに光強度の比較的大きい記録光ビームＬ１（すなわち記録光ビームＬ１ｂ）が照射されると、当該吸収変化領域ＲＡにおける発熱に応じて屈折率変化領域ＲＢを形成する。
【００６７】
このとき光情報記録媒体１００は、回転されながら記録光ビームＬ１ａ及びＬ１ｂが照射されることにより、螺旋状又は同心円状に記録マークＲＭがほぼ線上に配置されるトラックＴＲを形成する。
【００６８】
またこのようにして形成された記録マークＲＭは、光情報記録媒体１００（図９（Ｂ））の第１面１００Ａ等の各面とほぼ平行な平面状に配置され、当該記録マークＲＭによる複数のマーク層Ｙを形成する。
【００６９】
一方、光情報記録媒体１００は、情報の再生時には、例えば第１面１００Ａ側から目標位置ＰＧ（すなわち光ビームが照射されるべき位置）に対して読出光ビームＬ２が集光される。ここで焦点ＦＭの位置（すなわち目標位置ＰＧ）に記録マークＲＭ（吸収変化領域ＲＡ又は屈折率変調領域ＲＢのいずれか）が形成されている場合、当該読出光ビームＬ２が記録マークＲＭによって吸収若しくは反射され、透過光ビームＬ３の光量が減少する。
【００７０】
光情報記録媒体１００は、透過光ビームＬ３の光量を検出させることにより、当該透過光ビームＬ３を基に記録マークＲＭの有無を検出させ得るようになされている。
【００７１】
このように光情報記録媒体１００は、２光子吸収反応が生じた部分に吸収変化領域ＲＡを、２光子吸収反応と熱反応との両方が生じた部分に屈折率変調領域ＲＢを形成する。これにより光情報記録媒体１００は、吸収変化領域ＲＡと屈折率変調領域ＲＢとによって主データ及び副データの２種類の情報を記録し得るようになされている。
【００７２】
（４）吸収変化領域の形成による主データの記録
図１０に示すように、情報記録端末２はシステムコントローラ２１を中心に構成されている。システムコントローラ２１は、図示しないＣＰＵ(Central Processing Unit)と、各種プログラム等が格納されるＲＯＭ(Read Only Memory)と、当該ＣＰＵのワークメモリとして用いられるＲＡＭ(Random Access Memory)とによって構成されている。
【００７３】
システムコントローラ２１は、光情報記録媒体１００に主データを記録する場合、光記録装置２３を制御することにより、当該光記録装置２３に装填された光情報記録媒体１００に主データとしての記録情報ＲＩを記録するようになされている。
【００７４】
システムコントローラ２１は、図示しない操作部を介したユーザの操作入力に応じて、主データを記録する旨の記録要求が供給されると、ＲＯＭやハードディスクドライブでなるデータ保持部２２から主データを表す記録情報ＲＩを読出して光記録装置２３の制御部５１に供給する。
【００７５】
またシステムコントローラ２１は、ＣＰＵ構成でなる制御部５１を制御し、主データ記録処理を実行させる。具体的に制御部５１は、光駆動制御部５２を介してスピンドルモータ５５を回転駆動させ、ターンテーブル（図示せず）に載置された光情報記録媒体１００を所望の速度で回転させる。
【００７６】
また制御部５１は、駆動制御部５２を介してスレッドモータ５６を駆動させることにより、光ピックアップ５７を移動軸Ｇ１及びＧ２に沿ってラジアル方向、すなわち光情報記録媒体１００の内周側又は外周側へ向かう方向へ大きく移動させるようになされている。
【００７７】
また制御部５１は、光情報記録媒体１００に対して情報を記録する際、データ保持部２２から供給される主データとしての記録情報ＲＩを信号処理部５３に供給する。信号処理部５３は、記録情報ＲＩに対して所定の変調処理及び２値化処理などを施すことにより、記録クロックＣａの周期に応じて立ち上がり及び立ち下がる記録データＳｗａ（図１１（Ａ）及び（Ｂ））を生成し、駆動制御部５２に供給する。なおこの記録クロックＣａは、図示しないクロック生成器によって生成される。
【００７８】
駆動制御部５２は、当該記録データＳｗに基づいてレーザ駆動電流を生成し、これを光ピックアップ５７における光源６０に供給する。この結果光源６０から情報に応じて変調された記録光ビームＬ１ａ（図１１（Ｃ））が出射される。この記録光ビームＬ１ａは、２光子吸収反応を生じさせる必要があるため、非常に大きな光強度で短時間に亘って出射される。
【００７９】
制御部５１は、光ピックアップ５７を制御して当該光ピックアップ５７から光情報記録媒体１００の記録光ビームＬ１ａが照射されるべき目標位置ＰＧに対して記録光ビームＬ１ａを照射させることにより、記録層１０１に吸収変化領域ＲＡ（図１１（Ｄ））を形成し、記録情報ＲＩを記録するようになされている。
【００８０】
図１２に示すように光ピックアップ５７は、主データの記録処理の際、システムコントローラ２１の制御に基づき、光源６０から例えば波長４０５［ｎｍ］の記録光ビームＬ１ａを出射させ、当該記録光ビームＬ１ａをコリメータレンズ６１により発散光から平行光に変換した上でビームスプリッタ６２に入射させるようになされている。
【００８１】
ビームスプリッタ６２は、光ビームを所定の割合で反射又は透過させる反射透過面６２Ｓを有している。反射透過面６２Ｓは記録光ビームＬ１ａが入射されると当該記録光ビームＬ１ａを透過させ、対物レンズ６３へ入射させる。対物レンズ６３は、記録光ビームＬ１ａを集光することにより、光情報記録媒体１００内の目標位置ＰＧに合焦させ、吸収変化領域ＲＡを形成させるようになされている。
【００８２】
このとき光情報記録媒体１００では、記録光ビームＬ１ａの焦点Ｆｂ近傍に、当該記録光ビームＬ１ａのスポット径ｄ（図２）と比して小さい直径ｄａでなる吸収変化領域ＲＡを形成する。
【００８３】
このように光記録装置２３は、光情報記録媒体１００に対し、吸収変化領域ＲＡとして主データを記録し得るようになされている。
【００８４】
（５）屈折率変調領域の形成による副データの記録
図１３に示すように、承認端末３はシステムコントローラ３１を中心に構成されており、システムコントローラ２１と同様、図示しないＣＰＵと、ＲＯＭと、ＲＡＭとによって構成されている。なお図１３では、情報記録端末２（図１０）と対応する箇所に同一符号を附して示し、同一の処理については説明を省略する。
【００８５】
システムコントローラ３１は、光情報記録媒体１００に副データを記録する場合、光記録装置３３を制御することにより、当該光記録装置３３に装填された光情報記録媒体１００に副データとしての暗号情報ＣＩを記録する。すなわちシステムコントローラ３１は、記録層１０１から吸収変化領域ＲＡを検出すると共に、当該吸収変化領域ＲＡの一部を屈折率変調領域ＲＢに変化させるようになされている。
【００８６】
システムコントローラ３１は、図示しない操作部を介したユーザの操作入力に応じて、副データを記録する旨の記録要求が供給されると、暗号生成部３２によって副データとしての暗号情報ＣＩ及び当該暗号情報ＣＩに対応する鍵情報ＫＩを生成する。システムコントローラ３１は、鍵情報ＫＩを光情報記録媒体１００の識別情報と共に、例えばネットワークを介して接続されたサーバ（図示せず）に送出する。この結果鍵情報ＫＩと識別情報とが対応付けられた状態でサーバに保存されることになる。
【００８７】
またシステムコントローラ３１は、暗号生成部３２によって生成した暗号情報ＣＩを光記録装置３３の制御部５１に供給する。
【００８８】
制御部５１は暗号情報ＣＩを信号処理部５３に供給する。信号処理部５３は、暗号情報ＣＩに対して所定の変調処理及び２値化処理などを施すことにより、記録クロックＣｂの周期に応じて立ち上がり及び立ち下がる記録データＳｗｂ（図１４（Ｂ）及び（Ｃ））を生成し、駆動制御部５２に供給する。
【００８９】
このとき信号処理部５３は、例えば５周期分の記録クロックＣｂを１周期として記録データＳｗｂが立ち上がり又は立ち下がるよう当該記録データＳｗｂを生成する。
【００９０】
駆動制御部５２は、当該記録データＳｗｂに基づいてレーザ駆動電流を生成し、これを光ピックアップ５８における光源６０に供給する。この結果光源６０から情報に応じて変調された記録光ビームＬ１ｂ（図１４（Ｄ））が出射される。この記録光ビームＬ１ｂは、熱反応を生じさせるため、比較的大きな光強度で連続的に出射される。
【００９１】
制御部５１は、光ピックアップ５８を制御して当該光ピックアップ５８から光情報記録媒体１００の記録光ビームＬ１ｂが照射されるべき目標位置ＰＧに対して記録光ビームＬ１ｂを照射させる。この結果制御部５１は、記録層１０１に形成された吸収変化領域ＲＡに当該記録光ビームＬ１ｂに応じた熱反応を生じさせて屈折率変調領域ＲＢを形成し、副データを記録するようになされている。
【００９２】
ここで記録データＳｗｂは、５周期分の記録クロックＣｂを１周期としている。従って記録光ビームＬ１ｂは、５周期分の記録クロックＣｂすなわち吸収変化領域ＲＡが形成されている可能性のある目標マーク位置５つごとに照射され、あるいは照射されないことになり、当該目標マーク位置５つごとに１ビットの情報を表すことになる。
【００９３】
これにより光記録装置３３は、５つの目標マーク位置において１つでも吸収変化領域ＲＡが形成されていれば、当該吸収変化領域ＲＡに重畳して副データを記録することができる。この結果光記録装置３３は、目標マーク位置において吸収変化領域ＲＡが形成されていないことにより、副データが記録されないような事態を防止することができ、副データを確実に記録することができる。
【００９４】
図１５に光ピックアップ５８の構成を示している。なお図１５では、光ピックアップ５７（図１２）と対応する箇所に同一符号を附し、同一処理については説明を省略する。
【００９５】
光ピックアップ５８は、副データの記録処理の際、制御部５１の制御に基づき、光源６０から例えば波長４０５［ｎｍ］の記録光ビームＬ１ｂを出射させ、光情報記録媒体１００の目標位置ＰＧに照射する。これにより光ピックアップ５８は、暗号情報ＣＩに応じて屈折率変調領域ＲＢを形成させるようになされている。
【００９６】
このとき光ピックアップ５８は、光情報記録媒体１００を透過した透過光ビームＬ３を、対物レンズ６３と対向する位置に配置された集光レンズ６４によって受光すると共に、当該透過光ビームＬ３を集光し、受光素子６５に照射する。
【００９７】
受光素子６５は、光量に応じた検出信号を生成し、これを信号処理部５９に供給する。信号処理部５９は、検出信号から再生信号ＳＲＦを生成すると共に、図示しないＰＬＬ回路によって当該再生信号ＳＲＦから記録クロックＣｂを生成する。この記録クロックＣｂは、吸収変化領域ＲＡが形成されているタイミング（すなわち目標マーク位置の間隔）を表すタイミング信号となる。
【００９８】
すなわち光ピックアップ５８は、実際に記録されている吸収変化領域ＲＡの記録位置を検出し、当該記録位置に合わせて記録光ビームＬ１ｂを照射することにより、主データを表す吸収変化領域ＲＡの一部（すなわち目標位置ＰＧ）に対して適切に記録光ビームＬ１ｂを照射することができる。この結果光ピックアップ５８は、主データに対して適切に副データを重畳し得るようになされている。
【００９９】
このように光記録装置３３は、光情報記録媒体１００に対し、屈折率変調領域ＲＢとして副データを記録し得るようになされている。
【０１００】
（６）情報の再生
図１６に示すように、情報再生端末４はシステムコントローラ４１を中心に構成されており、システムコントローラ２１（図１０）と同様、図示しないＣＰＵと、ＲＯＭと、ＲＡＭとによって構成されている。なお図１６では、情報記録端末２（図１０）と対応する箇所に同一符号を附して示し、同一の処理については説明を省略する。
【０１０１】
ここで光情報記録媒体１００では、主データが吸収変化領域ＲＡとして記録されると共に、当該吸収変化領域ＲＡの一部が屈折率変調領域ＲＢに変化している。すなわち光情報記録媒体１００では、吸収変化領域ＲＡと屈折率変調領域ＲＢとによって主データが記録されている。
【０１０２】
従って情報再生端末４は、吸収変化領域ＲＡと屈折率変調領域ＲＢのうち一方が記録されているか否かを検出することにより、主データを再生するようになされている。
【０１０３】
システムコントローラ３１は、図示しない操作部を介したユーザの操作入力に応じて、副データを記録する旨の記録要求が供給されると、光情報記録媒体１００の識別情報を基に例えばネットワークや外部記憶装置などを介して供給された鍵情報ＫＩを暗号再生部４２に送出する。暗号再生部４２は、鍵情報ＫＩに基づいて暗号情報ＣＩを生成し、光記録装置４３の制御部７１に供給する。
【０１０４】
制御部（図１１（Ｂ））７１は暗号情報ＣＩを信号処理部７３に供給する。信号処理部７３は、再生クロックＣｒの周期に応じて立ち上がり及び立ち下がる暗号データＳｃ(図１７（Ｅ））を生成する。
【０１０５】
また制御部７１は、光情報記録媒体１００から情報を再生する際、ほぼ一定値でなるレーザ駆動電流を生成し、これを光源６０（図１５）に供給する。この結果光源６０から、ほぼ一定の出射光強度でなる読出光ビームＬ２（図１７（Ｃ））が出射される。
【０１０６】
そして光ピックアップ７７は、当該光情報記録媒体１００を透過した透過光ビームＬ３を受光し、当該透過光ビームＬ３の受光量に応じた検出信号を信号処理部７３に供給する。
【０１０７】
信号処理部７３は、検出信号に基づいて透過光ビームＬ３の受光量を表す再生信号ＳＲＦ（図１７（Ｄ））を生成すると共に、当該再生信号ＳＲＦに対して所定の２値化処理及び復調処理などを施すことにより再生データを生成し、制御部５１を介してシステムコントローラ４１に供給する。
【０１０８】
このとき信号処理部７３は、暗号データＳｃ（図１７（Ｅ））の立ち上がり及び立ち下がりに応じて再生信号ＳＲＦを２値化する際の再生閾値を第１の再生閾値及び第２の再生閾値のいずれかに切り替えるようになされている。
【０１０９】
すなわち信号処理部７３は、例えば暗号データＳｃが「Ｌｏｗ」である場合、目標マーク位置に記録マークＲＭとして吸収変化領域ＲＡが形成されているべきであるため、２値化閾値を第１の再生閾値に設定する。なおこの第１の再生閾値は、暗号データＳｃが「Ｌｏｗ」のときに２値化信号ＤＲＦの「Ｈｉｇｈ」レベルの期間と「Ｌｏｗ」レベルの期間とがほぼ同一となるように決定される。
【０１１０】
これにより信号処理部７３は、吸収変化領域ＲＡが記録されているべき目標マーク位置において、実際に記録されている吸収変化領域ＲＡの有無を適切に検出することができるため、主データを適切に再生させることができる。
【０１１１】
一方信号処理部７３は、例えば暗号データＳｃが「Ｈｉｇｈ」である場合、目標マーク位置に記録マークＲＭとして屈折率変調領域ＲＢが形成されているべきであるため、２値化閾値を第２の再生閾値に設定する。なおこの第２の再生閾値は、暗号データＳｃが「Ｌｏｗ」のときに２値化信号ＤＲＦの「Ｈｉｇｈ」レベルの期間と「Ｌｏｗ」レベルの期間とがほぼ同一となるように決定される。
【０１１２】
これにより信号処理部７３は、屈折率変調領域ＲＢが記録されているべき目標マーク位置において、実際に記録されている屈折率変調領域ＲＢの有無を適切に検出することができるため、主データを適切に再生させることができる。
【０１１３】
すなわち情報再生端末４は、光情報記録媒体１００に正規の暗号情報ＣＩに基づく副データが記録されていた場合には、記録マークＲＭの有無を適切に検出して主データを適切に再生することができる。一方情報再生端末４は、光情報記録媒体１００に正規の暗号情報ＣＩに基づく副データが記録されていない場合には、記録マークＲＭの有無を適切に検出することができず、主データを再生することができないようになされている。
【０１１４】
また信号処理部７３は、図示しないＰＬＬ回路によって当該再生信号ＳＲＦから再生クロックＣｒを生成する。この再生クロックＣｒは、記録マークＲＭが形成されているタイミング（すなわち目標マーク位置の間隔）を表すタイミング信号となる。
【０１１５】
このように情報再生端末４では、光情報記録媒体１００に正規の暗号情報ＣＩに基づく副データが記録されていた場合にのみ、光情報記録媒体１００から情報を再生し得るようになされている。
【０１１６】
（７）動作及び効果
以上の構成において、光情報記録媒体１００の記録層１０１では、周囲から光吸収率の変化した吸収変化領域ＲＡ及び当該吸収変化領域ＲＡから屈折率の変調された屈折率変調領域ＲＢとして主データが記録されている。また記録層１０１では、屈折率変調領域ＲＢとして主データとは異なる副データが記録されている。
【０１１７】
すなわち記録層１０１では、主データとして形成された吸収変化領域ＲＡの一部に副データを表す屈折率変調領域ＲＢが形成されている。これにより記録層１０１では、主データに対して副データを重畳して記録することができる。  
【０１１８】
また記録層１０１では、情報記録光としての記録光ビームＬ１ａの照射によって２光子吸収反応が生じることにより吸収変化領域ＲＡが形成されている。また記録層１０１では、吸収変化領域ＲＡに対して重畳記録光としての記録光ビームＬ１ｂが照射されることによって熱反応が生じたことにより屈折率変調領域ＲＢが形成されている。
【０１１９】
これにより記録層１０１では、２つの異なる反応により吸収変化領域ＲＡ及び屈折率変調領域ＲＢを形成することができるため、吸収変化領域ＲＡを形成すべき場合に記録光ビームＬ１ａの過照射によって屈折率変調領域ＲＢを誤って形成してしまうような事態を未然に防止することができる。
【０１２０】
さらに記録層１０１は、副データとして暗号情報ＣＩを記録することにより、当該暗号情報ＣＩを用いて光情報記録媒体１００の偽造防止システムを構築することができる。
【０１２１】
光記録装置３３では、光情報記録媒体１００に記録され、周囲から光吸収率の変化した吸収変化領域ＲＡを検出部としての信号処理部５９によって検出し、重畳記録光として光源６０によって出射した記録光ビームＬ１ａを吸収変化領域ＲＡに対して照射する。光記録装置３３は、吸収変化領域ＲＡが表す主データとは異なる副データ及び信号処理部５９の検出結果に応じて、吸収変化領域ＲＡの一部に対して重畳記録光を出射するよう光源６０を制御する。
【０１２２】
これにより光記録装置３３は、主データを表す吸収変化領域ＲＡの一部に副データを表す屈折率変調領域ＲＢを形成することができ、主データに対して副データを重畳して記録することができる。
【０１２３】
光再生装置４３は、周囲から光吸収率が変化した吸収変化領域ＲＡ及び当該吸収変化領域ＲＡから屈折率が変調された屈折率変調領域ＲＢが形成された光情報記録媒体１００に対して読出光としての読出光ビームＬ２を照射する。光再生装置４３は、吸収変化領域ＲＡ及び屈折率変調領域ＲＢによって読出光ビームＬ２が変調されてなる変調光としての透過光ビームＬ３を受光し、当該透過光ビームＬ３に基づいて吸収変化領域ＲＡ及び屈折率変調領域ＲＢの双方によって表される主データを再生する。
【０１２４】
これにより光再生装置４３は、光情報記録媒体１００から主データを適切に再生することができる。
【０１２５】
また光再生装置４３は、鍵情報ＫＩから暗号情報ＣＩを生成することにより屈折率変調領域ＲＢが表す副データを取得し、取得した副データから吸収変化領域ＲＡ及び屈折率変調領域ＲＢのいずれが記録されているかを予測部としての信号処理部７３によって予測する。情報再生端末４は、検出信号から透過光ビームＬ３の和光量を表す再生信号ＳＲＦを生成し、信号処理部７３の予測結果に応じて吸収変化領域ＲＡの有無を判断する第１の再生閾値と、屈折率変調領域ＲＢの有無を判断する第２の再生閾値とを切り替え、主データを表す２値化信号ＤＲＦを生成する。
【０１２６】
これにより光再生装置４３は、吸収変化領域ＲＡ及び屈折率変調領域ＲＢによって表される主データを適切に再生することができる。
【０１２７】
偽造防止システムにおいて、承認端末３は、暗号情報ＣＩを生成し、光情報記録媒体１００において記録情報ＲＩを表す吸収変化領域ＲＡ上に記録光ビームＬ１ｂを照射する。承認端末３は、屈折率変調領域ＲＢを形成することにより、当該吸収変化領域ＲＡ上に暗号情報ＣＩを重畳すると共に、暗号情報ＣＩに対応する鍵情報ＫＩを生成する。
【０１２８】
偽造防止システムにおいて、情報再生端末４は、鍵情報ＣＩを取得し、暗号情報ＣＩの重畳された光情報記録媒体１００において記録されている暗号情報ＣＩが鍵情報ＫＩと対応する場合には主データを再生する一方、暗号情報ＣＩが鍵情報ＫＩと対応しない場合には主データを再生しない。
【０１２９】
これにより偽造防止システムでは、鍵情報ＣＩと光情報記録媒体１００に記録された暗号情報ＣＩとが一致した場合にのみ主データを再生させることができるため、主データの改ざんや光情報記録媒体１００の偽造などを実行するために暗号情報ＣＩを正しく記録させる必要が生じる。この結果偽造防止システムでは、主データの改ざんや光情報記録媒体１００の偽造などを抑制することができる。
【０１３０】
以上の構成によれば、本発明では、記録光ビームＬ１ａに応じて吸収変化領域ＲＡを形成し、記録光ビームＬ１ｂに応じて屈折率変調領域ＲＢを形成するという光情報記録媒体１００の特性を利用する。
【０１３１】
これにより本発明では、吸収変化領域ＲＡと屈折率変調領域ＲＢとを記録マークＲＭとして組み合わせて主データと副データとを記録することができ、かくして主データ及び副データの双方が記録された光情報記録媒体、副データを記録することができる記録装置及び記録方法、主データ及び副データの双方が記録された光情報記録媒体から主データを再生することができる再生装置及び再生方法、並びに上記光情報記録媒体における主データの偽造を抑制し得る偽造防止システム、承認端末及び情報再生端末を実現できる。
【０１３２】
（８）他の実施の形態
なお上述した実施の形態においては、２光子吸収反応によって吸収変化領域ＲＡの光吸収特性が変化するようにした場合について述べた。本発明はこれに限らず、例えば１光子吸収反応による光重合反応により吸収変化領域ＲＡを形成するようにしても良い。この場合であっても、上述した実施の形態と同様の効果を得ることができる。
【０１３３】
また上述した実施の形態においては、バインダー樹脂として各種樹脂材料が用いられるようにした場合について述べたが、本発明はこれに限らず、例えば必要に応じて各種添加剤や例えばシアニン系、クマリン系、キノリン系色素などの増感色素などを加える等しても良い。
【０１３４】
さらに上述した実施の形態においては、副データとして暗号情報ＣＩを記録するようにした場合について述べた。本発明はこれに限らず、承認日時などその他種々の情報を副データとして記録しても良い。
【０１３５】
さらに上述した実施の形態においては、鍵情報ＫＩに基づいて吸収変化領域ＲＡ又は屈折率変調領域ＲＢのいずれが記録されているべきかを判別し、再生信号ＳＲＦが「Ｈｉｇｈ」であるか「Ｌｏｗ」であるかの閾値を第１の再生閾値と第２の再生閾値とに切り替えるようにし場合について述べた。本発明はこれに限らず、例えば再生閾値ではなく、再生信号ＳＲＦを生成する際の増幅率を切り替えるようにしても良い。
【０１３６】
また本発明は、再生閾値を２段階に設定し、記録マーク無し、吸収変化領域ＲＡ又は屈折率変調領域ＲＢのいずれであるかを判別するようにしても良い。この場合本発明では、屈折率変調領域ＲＢに対応する再生信号を生成することにより、副データを再生することができる。このとき光再生装置では、副データと鍵情報ＫＩとが対応するか否かを照会し、再生の許可又は不許可を決定するようにする。
【０１３７】
さらに上述した実施の形態においては、２値化信号ＤＲＦにおける「Ｈｉｇｈ」レベルの期間と「Ｌｏｗ」レベルの期間とがほぼ同一となるように第１及び第２の再生閾値を決定するようにした場合について述べた。本発明はこれに限らず、その他種々の方法で第１及び第２の再生閾値を決定することができる。例えば本発明は、予め記憶している第１及び第２の再生閾値を用いるようにしても良い。
【０１３８】
さらに上述した実施の形態においては、５ｂｉｔの吸収変化領域ＲＡごとに屈折率変調領域ＲＢを形成又は形成しないようにした場合について述べた。本発明はこれに限らず、例えば１ｂｉｔの吸収変化領域ＲＡごとに屈折率変調領域ＲＢを形成又は形成しないようにしても良い。またこのｂｉｔ数自体を暗号の一部として用いることにより、光情報記録媒体１００の偽造の困難性を高めることができ、当該光情報記録媒体１００の偽造を防止する効果を一段と高めることができる。
【０１３９】
さらに上述した実施の形態においては、光情報記録媒体１００の基板１０２側の面から記録光ビームＬ１及び読出光ビームＬ２をそれぞれ照射するようにした場合について述べたが、本発明はこれに限らず、例えば記録光ビームＬ１を基板１０３側の面から照射するようにする等、各光又は光ビームをそれぞれいずれの面、もしくは両面から照射するようにしても良い。なお記録光ビームを両面から照射する手法については、例えば特許文献３に記載されている。
【特許文献３】特開２００８−７１４３３公報
【０１４０】
さらに上述した実施の形態においては、光情報記録媒体１００を通過した透過光ビームＬ３を受光するようにした場合について述べた。本発明はこれに限らず、例えば吸収変化領域ＲＡが屈折率変調を伴うような場合には、記録マークＲＭによって反射されてなる戻り光ビームを受光するようにしても良い。
【０１４１】
さらに上述した実施の形態においては、対物レンズ６３のサーボ制御について特に述べていないが、例えば特許文献３に記載のように、サーボ層１０４に対してサーボ制御用のサーボ光ビームを照射することによりサーボ制御を実行するようにできる。また記録層１０１内に予めサーボ制御用のサーボ用マークが形成されており、当該サーボ用マークを用いてサーボ制御が実行されるようにしても良い。この場合、光情報記録媒体１００においてサーボ層１０４は不要となる。
【０１４２】
さらに上述した実施の形態においては、空洞でなる屈折率変調領域ＲＢを形成するようにした場合について述べた。本発明はこれに限らず、例えば化学変化によって屈折率を局所的に変化させることにより屈折率変調領域ＲＢを形成するようにしても良い。
【０１４３】
さらに上述した実施の形態においては、光源６０から出射される記録光ビームＬ１及び読出光ビームＬ２の波長を波長４０５［ｎｍ］とする以外にも、他の波長とするようにしても良く、要は記録層１０１内における目標位置ＰＧの近傍に記録マークＲＭを適切に形成できれば良い。また記録光ビームＬ１ａ及びＬ１ｂの波長が相違していても良い。
【０１４４】
さらに上述した実施の形態においては、光情報記録媒体１００を円盤状に形成し、当該光情報記録媒体１００を回転させながら同心円状又はらせん状に並んで記録マークＲＭが形成されるようにした場合について述べた。本発明はこれに限らず、例えば光情報記録媒体を矩形板状や正方形板状に形成し、光情報記録媒体をステージ駆動するようにしても良い。また光情報記録媒体の位置を固定して対物レンズを変位させることも可能である。なお光情報記録媒体１００として記録容量が２５０ＧＢでなる２層ＢＤの５倍以上の容量を得るためには、記録層１０１の厚みは１００［μｍ］以上とすることが望ましい。
【０１４５】
さらに上述した実施の形態においては、１つの記録マークＲＭが１ビットの情報を表すようにした場合について述べた。本発明はこれに限らず、例えば２Ｔ〜１１Ｔでなる記録マークＲＭを形成するなど、その他種々のマーク長でなる記録マークＲＭを形成しても良い。この場合、例えば比較的マーク長の長い吸収変化領域ＲＡの一部のみに屈折率変調領域を形成しても良い。
【０１４６】
さらに上述した実施の形態においては、情報記録端末２及び承認端末３が光情報記録媒体１００から情報を記録のみ行い、情報再生端末４が光情報記録媒体１００から情報の再生のみを行うようにした場合について述べた。本発明はこれに限らず、情報記録端末２、承認端末３及び情報再生端末４が光情報記録媒体１００に対して情報の記録及び再生の両方を行っても良い。すなわち１つの端末が情報記録端末２又は承認端末３及び情報再生端末４の２つの機能を併せ持つようにしても良い。
【０１４７】
さらに上述した実施の形態においては、偽造防止システムを社内の文書保存システムとして利用するようにした場合について述べた。本発明はこれに限らず、例えば音楽や映像データの偽造防止システムなど、種々の偽造防止システムに利用しても良い。この場合、鍵情報ＫＩを音楽データ等の販売元が保存し、インターネットなどのネットワークを介して正規ユーザにのみ配信するようにする。
【０１４８】
また偽造防止システムでは、必ずしも鍵情報を別途準備する必要はない。例えば主データの再生を許可する許可情報を副データとして記録することも可能である。
【０１４９】
さらに上述した実施の形態においては、記録層としての記録層１０１によって光情報記録媒体としての光情報記録媒体１００を構成する場合について述べたが、本発明はこれに限らず、その他種々の構成でなる記録層によって光情報記録媒体を構成するようにしても良い。
【０１５０】
さらに上述した実施の形態においては、光源としての光源６０と、光照射部としての対物レンズ６３と、検出部及び光源制御部としての信号処理部５３とによって記録装置としての光記録装置２３を構成するようにした場合について述べた。本発明はこれに限らず、その他種々の構成でなる光源と、光照射部と、検出部と、光源制御部とによって本発明の記録装置を構成するようにしても良い。
【０１５１】
さらに上述した実施の形態においては、光源としての光源６０と、光照射部としての対物レンズ６３と、受光部としての受光素子６５と、再生部としての信号処理部７３とによって再生装置としての光再生装置４３を構成するようにした場合について述べた。本発明はこれに限らず、その他種々の構成でなる光源と、光照射部と、受光部と、再生部とによって本発明の再生装置を構成するようにしても良い。
【０１５２】
さらに上述した実施の形態においては、暗号情報生成部及び鍵情報生成部としての暗号生成部３２と、暗号情報重畳部としての光記録装置３３とによって承認端末としての承認端末３を構成するようにした場合について述べた。本発明はこれに限らず、その他種々の構成でなる暗号情報生成部と、鍵情報生成部と、暗号情報重畳部とによって本発明の記録装置を構成するようにしても良い。
【０１５３】
さらに上述した実施の形態においては、鍵情報取得部としての暗号再生部４２と、再生部としての光再生装置４３とによって情報再生端末としての情報再生端末４を構成するようにした場合について述べた。本発明はこれに限らず、その他種々の構成でなる鍵情報取得部と、再生部とによって本発明の再生装置を構成するようにしても良い。
【産業上の利用可能性】
【０１５４】
本発明は、例えば社内で使用される文書承認システムや公文書を保存する公文書保存システムなどに利用できる。
【図面の簡単な説明】
【０１５５】
【図１】１光子吸収による記録マークの形成の説明に供する略線図である。
【図２】２光子吸収による記録マークの形成の説明に供する略線図である。
【図３】従来の記録マークの形成の説明に供する略線図である。
【図４】吸収変化領域の記録及び再生の説明に供する略線図である。
【図５】吸収変化領域の記録及び再生の説明に供する略線図である。
【図６】主データと副データの記録及び再生の説明に供する略線図である。
【図７】偽造防止システムの構成（１）の説明に供する略線図である。
【図８】偽造防止システムの構成（１）の説明に供する略線図である。
【図９】光情報記録媒体の構成を示す略線図である。
【図１０】情報記録端末の構成を示す略線図である。
【図１１】主データの記録の説明に供する略線図である。
【図１２】光ピックアップの構成を示す略線図である。
【図１３】承認端末の構成を示す略線図である。
【図１４】副データの記録の説明に供する略線図である。
【図１５】光ピックアップの構成を示す略線図である。
【図１６】情報再生端末の構成を示す略線図である。
【図１７】情報の再生の説明に供する略線図である。
【符号の説明】
【０１５６】
２……情報記録端末、３……承認端末、４……情報再生端末、２１、３１、４１……システムコントローラ、２２……データ保持部、３２……暗号生成部、４２……暗号再生部、５７、６７、７７……光ピックアップ、６０……光源、５３、５９、７３……信号処理部５９……対物レンズ、１００……光情報記録媒体、１０１……記録層、ｔ１、ｔ２、ｔ３……厚さ、Ｌ１、Ｌ１ａ、Ｌ１ｂ……記録光ビーム、Ｌ２……読出光ビーム、Ｌ３……透過光ビーム、ＲＡ……吸収変化領域、ＲＢ……屈折率変調領域、ＳＲＦ……再生信号、ＤＲＦ……２値化再生信号。
【図１】
2010113786.tif 000005
【図２】
2010113786.tif 000006
【図３】
2010113786.tif 000007
【図４】
2010113786.tif 000008
【図５】
2010113786.tif 000009
【図６】
2010113786.tif 000010
【図７】
2010113786.tif 000011
【図８】
2010113786.tif 000012
【図９】
2010113786.tif 000013
【図１０】
2010113786.tif 000014
【図１１】
2010113786.tif 000015
【図１２】
2010113786.tif 000016
【図１３】
2010113786.tif 000017
【図１４】
2010113786.tif 000018
【図１５】
2010113786.tif 000019
【図１６】
2010113786.tif 000020
【図１７】
2010113786.tif 000021